(57)【特許請求の範囲】
【請求項１】
膨張・収縮可能な空気袋を有するマット本体と、前記空気袋を膨張・収縮させていく給排気装置とを備えたエアーマッサージ装置において、
脚部を挿入する凹部を前記給排気装置の本体の上面に設け、
前記凹部に挿入された脚部を挟持してこの脚部のマッサージを行う空気袋を前記凹部に設けたことを特徴とするエアーマッサージ装置。
【請求項２】
前記給排気装置は前記マット本体に着脱自在に接続されることを特徴とする請求項１に記載のエアーマッサージ装置。
【発明の詳細な説明】
【０００１】
【発明の属する技術分野】
この発明は、空気袋を膨張・収縮させてマッサージを行うエアーマッサージ装置に関する。
【０００２】
【従来の技術】
従来からエアーマッサージ装置として、図７に示すものが知られている。図７において、１はマット本体であり、このマット本体１内には図示しない複数の空気袋が配設されている。これら空気袋はホース２を介して給排気装置３が接続されている。
【０００３】
給排気装置３は空気袋を膨張・収縮させるものであり、この膨張・収縮によりマット１上に身体のマッサージを行なっていくものである。
【０００４】
【発明が解決しようとする課題】
しかしながら、このようなエアーマッサージ装置にあっては、マット本体１内に配設した空気袋を膨張・収縮させるものであるから、比較的人の体重がかからない脚部は空気袋の膨張とともに持ち上がってしまい、このため、脚部を確実にマッサージすることができないという問題があった。
【０００５】
また、給排気装置３からホース２を介して空気袋を膨張・収縮させているので、ホース２がよじれたりすると空気の流れが悪くなり、空気袋の膨張・収縮の効率が低下する等の問題もあった。
【０００６】
この発明は、上記問題点に鑑みてなされたもので、その目的は、脚部を確実にマッサージすることのできるエアーマッサージ装置を提供することにある。
【０００７】
また、この発明の他の目的は、空気袋の膨張・収縮の効率を向上させることのできるエアーマッサージ装置を提供することにある。
【０００８】
さらに、この発明の他の目的は、マット上の身体の位置を変えることなく脚部の異なる部位を確実にマッサージすることのできるエアーマッサージ装置を提供することにある。
【０００９】
【課題を解決するための手段】
上記目的を達成するため、請求項１の発明は、  膨張・収縮可能な空気袋を有するマット本体と、前記空気袋を膨張・収縮させていく給排気装置とを備えたエアーマッサージ装置において、
脚部を挿入する凹部を前記給排気装置の本体の上面に設け、
前記凹部に挿入された脚部を挟持してこの脚部のマッサージを行う空気袋を前記凹部に設けたことを特徴とする。
【００１０】
請求項２の発明は、前記給排気装置は前記マット本体に着脱自在に接続されることを特徴とする。
【００１２】
【実施の形態】
以下、この発明に係るエアーマッサージ装置の実施の形態を図面に基づいて説明する。
【００１３】
図１および図２において、１０はカバー１１で覆われたマット本体であり、マット本体１０は上層部(図示せず)と下層部(図示せず)とを有し、上層部と下層部との間には、短冊状の空気袋１８a〜１８hが配設されている。
【００１４】
マット本体１０の一側部には接続部１７が設けられており、接続部１７には複数の接続孔１７a〜１７hが設けられている。接続孔１７a〜１７hはマット本体１０内に配設されたチューブ１９a〜１９hを介して空気袋１８a〜１８hに連通している。
【００１５】
２０は給排気装置であり、この給排気装置２０の本体ケース２２の前壁部２３には、接続管２１a〜２１hを有する接続部２１が設けられている。接続部２１はマット本体１０の接続部１７に接続するもので、これら接続部１７,２１を介して給排気装置２０の本体ケース２２をマット本体１０にワンタッチで着脱可能に接続することができるようになっている。そして、接続部２１と接続部１７が接続されると、接続部２１の接続管２１a〜２１hが接続部１７の接続孔１７a〜１７hに接続するようになっている。
【００１６】
また、本体ケース２２の上面２４には、前壁部２３から後壁部２５まで延びるとともに足等の脚部が挿入可能なＵ字状の凹部２２Ｂ,２２Ｂが設けられている。この凹部２２Ｂ,２２Ｂの側壁に空気袋２６,２７（図３参照）が配置され、空気袋２６,２７の連結部２９がピン２８によって凹部２２Ｂ,２２Ｂの底部に固定されている。そして、凹部２２Ｂと空気袋２６,２７とで脚部を挟持してマッサージを行うマッサージ手段が構成される。
【００１７】
給排気装置２０は、図３および図４に示すように、ロータリバルブ６０と、ホース７１を介して空気袋２６,２７に連通した給排気弁７０と、圧縮空気を生成するエアコンプレッサ９１と、前記圧縮空気を浄化して貯えるフィルタタンク９２と、ロータリバルブ６０,給排気弁７０,エアコンプレッサ９１を制御する制御回路１００等とを備えている。
【００１８】
ロータリバルブ６０は、空気袋１８a〜１８hのうちの１つをフィルタタンク９２に連通させていくとともに他の空気袋を外気と連通させ、フィルタタンク９２と連通する空気袋１８a〜１８hを順次切り換えていくものである。このロータリバルブ６０によって空気袋１８a〜１８hは膨張・収縮を順次行っていくものである。また、ロータリバルブ６０は、全ての空気袋１８a〜１８hを外気と連通させることもできるようになっている。
【００１９】
給排気弁７０は、空気袋２６,２７とフィルタタンク９２とを連通させたり、空気袋２６,２７を外気と連通させたりして空気袋２６,２７の膨張・収縮を行わせるものである。
【００２０】
制御回路１００は、受光部１０１からの受光信号に基づいてロータリバルブ６０,給排気弁７０,エアコンプレッサ９１を制御するものであり、回路基板１０５に設けられている。受光部１０１は図示しないリモートコントロール装置からの赤外光を受光するもので給排気装置２０の本体ケース２２の前壁部２３に設けられている。
【００２１】
リモートコントロール装置は、各種のマッサージモードを設定することができるようになっている。例えば、マット本体１０と給排気装置２０とで全身のマッサージを行う全身モードと、マット本体１０のみでマッサージを行う身体モードと、給排気装置２０のみでマッサージを行う脚部モードやその他のモードが設定可能となっている。
【００２２】
次に、上記のように構成されるエアーマッサージ装置の動作について説明する。
【００２３】
先ず、給排気装置２０の接続部２１をマット本体１０の接続部１７に接続させる。そして、リモートコントロール装置(図示せず)を操作して例えば全身モードを設定する。この設定操作によりリモートコントロール装置から赤外光による信号が送出され、この赤外光が受光センサ１０１に受光されると、制御回路１００は受光センサ１０１の受光信号に基づいてロータリバルブ６０,給排気弁７０,エアコンプレッサ９１を作動させるとともに制御する。
【００２４】
制御回路１００による給排気弁７０の制御により、給排気装置２０の空気袋２６,２７が膨張・収縮を繰り返していく。空気袋２６,２７が膨張すると、図５に示すように、給排気装置２０の凹部２２Ｂに脚部Ｋを挿入しておけば、脚部Ｋは空気袋２６,２７によって両側から締め付けて挟持する状態となる。そして、空気袋２６,２７が収縮すると脚部Ｋは開放され、これら動作が繰り返し行われることにより脚部Ｋのマッサージが行われることとなる。
【００２５】
脚部Ｋは空気袋２６,２７によって両側から締め付けられるので、脚部Ｋに身体の体重がかからなくとも脚部Ｋが上方に持ち上がってしまうことがなく、このため、脚部Ｋのマッサージを確実に行うことができる。
【００２６】
他方、制御回路１００によるロータリバルブ６０の制御により、マット本体１０の空気袋１８a〜１８hが順次膨張・収縮を繰り返して行き、身体の各部がマッサージされていくこととなる。
【００２７】
身体モードが設定された場合には、給排気装置２０の空気袋２６,２７は外気に連通されたままとなり、マット本体１０の空気袋１８a〜１８hのみが膨張・収縮する。また、脚部モードが設定された場合には、マット本体１０の空気袋１８a〜１８hが外気に連通されたままとなり、給排気装置２０の空気袋２６,２７のみが膨張・収縮される。この場合、給排気装置２０をマット本体１０から外して使用してもよい。すなわち、給排気装置２０単独で脚部のマッサージを行うことができる。
【００２８】
ところで、給排気装置２０とマット本体１０とを接続ホースを介して接続していないことにより、マット本体１０の空気袋１８a〜１８hの膨張・収縮を効率よく行うことができる。また、給排気装置２０の本体ケース２２に脚部のマッサージを行う凹部２２Ｂ,２２Ｂおよび空気袋２６,２７を設けたので、脚部のマッサージを行うために本体ケース２２とは別個に空気袋２６,２７を保持する本体ケースを設ける必要がなく、このため、装置がおおがかりになってしまうことを防止することができる。
【００２９】
しかも、脚部のマッサージ手段を空気袋２６,２７としたのでマット本体１０の空気袋１９a〜１９hの駆動源であるエアコンプレッサ９１を共用することができる。また、給排気装置２０の本体ケース２２に脚部マッサージ用の空気袋２６,２７を設けたので、エアコンプレッサ９１と空気袋２６,２７を隣接して設けることができる。このため、両者間の空気抵抗が小さくなり、結果として空気袋２６,２７の膨張・収縮の効率が向上する。
【００３０】
図６は、他の実施形態を示したものであり、この実施形態では、給排気装置２０の本体ケース（脚受体）４１の両側に脚部４２を設け、この脚部４２によって給排気装置２０がマット本体１０を跨ぐとともに、マット本体１０に対して任意の位置に移動できるようにしたものである。この実施形態では、給排気装置２０とマット本体１０とを接続ホース５０で接続し、マット本体１０の空気袋１８a〜１８hと給排気装置２０のロータリバルブ６０とを連通させている。
【００３１】
この実施形態によれば、給排気装置２０を任意の位置に移動できるので、マット本体１０上に横たわった身体の位置を変えなくても脚部の異なる部位を挟持してマッサージすることが可能となる。すなわち、容易に脚部の異なる部位をマッサージすることができる。
【００３２】
【発明の効果】
以上説明したように、請求項１の発明によれば、装置を大がかりにせずに脚部のマッサージを確実に行うことができる。
【００３３】
請求項２の発明によれば、給排気装置をマット本体から外せば、給排気装置単独で脚部のマッサージを行うことができる。
【図面の簡単な説明】
【図１】この発明に係わるエアマッサージ装置の全体を示した外観斜視図である。
【図２】マット本体と給排気装置との接続を示す説明図である。
【図３】給排気装置の構成を示した断面図である。
【図４】給排気装置の構成を示したブロック図である。
【図５】脚部が空気袋によってマッサージされる状態を示した説明図である。
【図６】他の実施形態を示した説明図である。
【図７】従来のエアマッサージ装置を示した斜視図である。
【符号の説明】
１０          マット本体
１８a〜１８h  空気袋
２０          給排気装置
２２Ｂ        凹部
２６,２７     空気袋
４１          本体ケース
【図１】
0003783793.tif 000002
【図２】
0003783793.tif 000003
【図３】
0003783793.tif 000004
【図４】
0003783793.tif 000005
【図５】
0003783793.tif 000006
【図６】
0003783793.tif 000007
【図７】
0003783793.tif 000008